(57)【特許請求の範囲】
【請求項１】
複数の光源部が前記複数の光源部の幅方向に並べて配置される底面部を有する器具本体と、
前記器具本体に取り付けられ、前記複数の光源部を露出させながら前記底面部を覆う枠部と
を備え、
前記枠部は、
前記複数の光源部の間に配置される反射部と、
前記反射部の長さ方向の一端部を受けるための切欠部が形成された外枠部と
を有し、
前記外枠部は、
前記切欠部の端縁から突出する突部
を有し、
前記反射部の長さ方向の一端部は、
前記反射部の長さ方向に突出するとともに、前記突部を嵌めるための貫通孔が形成された爪部
を有することを特徴とする照明器具。
【請求項２】
前記突部は、先端の幅が根元の幅よりも狭くなっており、
前記爪部の貫通孔は、前記突部の先端を挿入するための第一の挿入部、前記突部の先端と根元との間の部分を摺動させながら挿入するための傾斜挿入部、前記突部の根元を挿入するための第二の挿入部が順番につながって形成されていることを特徴とする請求項１に記載の照明器具。
【請求項３】
前記爪部は、前記貫通孔の内側に突出する凸部を有し、
前記突部は、前記凸部を挿入するための開口部が根元に形成されていることを特徴とする請求項１に記載の照明器具。
【請求項４】
前記爪部は、前記貫通孔に前記突部が嵌められた状態で折り曲げられていることを特徴とする請求項１から３のいずれか１項に記載の照明器具。
【請求項５】
前記反射部の長さ方向の一端部は、
前記反射部の長さ方向に突出する他の爪部
をさらに有し、
前記外枠部には、前記他の爪部を嵌めるためのスリット部が形成されていることを特徴とする請求項１から４のいずれか１項に記載の照明器具。
【請求項６】
複数の光源部が前記複数の光源部の幅方向に並べて配置される底面部を有する器具本体と、
前記器具本体に取り付けられ、前記複数の光源部を露出させながら前記底面部を覆う枠部と
を備え、
前記枠部は、
前記複数の光源部の間に配置される反射部と、
前記反射部の長さ方向の一端部を受けるための切欠部が上端に形成された外枠部と
を有し、
前記反射部の長さ方向の一端部は、
前記反射部の幅方向の端に形成され、前記反射部の長さ方向に突出する他の爪部
をさらに有し、
前記外枠部の上端には、前記他の爪部を嵌めるためのスリット部が前記切欠部の隣に形成されていることを特徴とする照明器具。
【請求項７】
前記他の爪部は、前記スリット部に嵌められた状態で折り曲げられていることを特徴とする請求項５または６に記載の照明器具。
【請求項８】
前記反射部の長さ方向は、前記複数の光源部の長さ方向と平行であることを特徴とする請求項１から７のいずれか１項に記載の照明器具。
【請求項９】
前記枠部は、
前記反射部の長さ方向の他端部を受けるための切欠部が形成された他の外枠部
をさらに有することを特徴とする請求項１から８のいずれか１項に記載の照明器具。
【発明の詳細な説明】
【技術分野】
【０００１】
本発明は、照明器具に関するものである。
【背景技術】
【０００２】
従来、天井等の被取付部に取り付けられる照明器具は、被取付部に吊ボルト等で固定されるとともに、光源部、点灯装置、端子台を備え、一つの面が開口した略箱形状の器具本体と、光源部の照射性能を補助するための反射部と、器具本体の開口周部を覆うとともに点灯装置、端子台等を覆い隠すための枠部とを備える。
【０００３】
例えば、特許文献１に記載の照明器具は、器具本体と、器具本体の開口周部を覆う矩形状をした枠部と、枠部の内側に配設され、器具本体内部に設けられた係合部に係り合って固定される反射部とを備える。
【先行技術文献】
【特許文献】
【０００４】
【特許文献１】特開２０１３−６９５５３号公報
【発明の概要】
【発明が解決しようとする課題】
【０００５】
特許文献１に記載の照明器具では、枠部の固定と反射部の固定とを別々に行っているため、擦れ等による傷、塗装剥がれ等を防止するために反射部の長さを枠部の矩形内側の寸法より短くしている。そのため、器具本体に固定されたときに枠部と反射部の短手方向の側面（長手方向の端面）との間に隙間が形成されてしまうという課題があった。
【０００６】
本発明は、例えば、枠部が外枠部と反射部とを有し、これらの間に隙間が生じにくい照明器具を提供することを目的とする。
【課題を解決するための手段】
【０００７】
本発明の一の態様に係る照明器具は、
複数の光源部が前記複数の光源部の幅方向に並べて配置される底面部を有する器具本体と、
前記器具本体に取り付けられ、前記複数の光源部を露出させながら前記底面部を覆う枠部とを備え、
前記枠部は、
前記複数の光源部の間に配置される反射部と、
前記反射部の長さ方向の一端部を受けるための切欠部が形成された外枠部とを有する。
【発明の効果】
【０００８】
本発明では、照明器具の枠部が反射部と外枠部とを有し、外枠部に反射部の長さ方向の一端部を受けるための切欠部が形成されている。このため、本発明によれば、枠部の外枠部と反射部との間に隙間を生じにくくすることができる。
【図面の簡単な説明】
【０００９】
【図１】実施の形態１に係る照明器具の斜視図。
【図２】実施の形態１に係る照明器具の分解斜視図。
【図３】実施の形態１に係る照明器具の枠部の分解斜視図。
【図４】図３のＡ部の拡大平面図。
【図５】図３のＢ部の拡大斜視図。
【図６】図３のＢ部の拡大平面図。
【図７】図３のＣ部の拡大斜視図。
【図８】図３のＣ部の拡大平面図。
【図９】実施の形態１に係る照明器具の枠部の組立手順を示す斜視図。
【図１０】実施の形態１に係る照明器具の枠部の組立手順を示す斜視図。
【図１１】実施の形態１に係る照明器具の枠部の組立手順を示す斜視図。
【図１２】実施の形態１に係る照明器具の突部が爪部の第一の挿入部に挿入された状態を示す部分拡大斜視図。
【図１３】実施の形態１に係る照明器具の突部が爪部の第一の挿入部に挿入された状態を示す部分拡大平面図。
【図１４】実施の形態１に係る照明器具の突部が爪部の第一の挿入部に挿入された状態を示す部分拡大側面図。
【図１５】実施の形態１に係る照明器具の突部が爪部の傾斜挿入部に挿入された状態を示す部分拡大斜視図。
【図１６】実施の形態１に係る照明器具の突部が爪部の傾斜挿入部に挿入された状態を示す部分拡大平面図。
【図１７】実施の形態１に係る照明器具の突部が爪部の傾斜挿入部に挿入された状態を示す部分拡大側面図。
【図１８】実施の形態１に係る照明器具の突部が爪部の第二の挿入部に挿入された状態を示す部分拡大斜視図。
【図１９】実施の形態１に係る照明器具の突部が爪部の第二の挿入部に挿入された状態を示す部分拡大平面図。
【図２０】実施の形態１に係る照明器具の突部が爪部の第二の挿入部に挿入された状態を示す部分拡大側面図。
【図２１】実施の形態２に係る照明器具の爪部の形状を示す部分拡大平面図。
【図２２】実施の形態２に係る照明器具の突部の形状を示す部分拡大平面図。
【図２３】実施の形態２に係る照明器具の突部が爪部の貫通孔に挿入された状態を示す部分拡大斜視図。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１１】
実施の形態１．
図１は、本実施の形態に係る照明器具１０の斜視図である。図２は、照明器具１０の分解斜視図である。
【００１２】
図１及び図２に示すように、照明器具１０は、一つの面（下面）が開口し、天井等の被取付部に固定される器具本体２０と、Ｖ字状の取付バネ１１により器具本体２０に取り付けられる枠部３０とを備えている。
【００１３】
器具本体２０は、一つの面（下面）に開口部２１が形成された略箱形状をしており、開口部２１が形成された面の反対側に底面を形成する底面部２２と、底面の周縁から開口部２１の方向へ側面を形成する第一の側面部２３及び第二の側面部２４とを有している。
【００１４】
底面部２２には、光源部１２、端子台１３、点灯装置１４等が取り付けられている。第一の側面部２３は一対あり、互いに対向している。同様に、第二の側面部２４は一対あり、互いに対向している。
【００１５】
光源部１２は、例えば、複数のＬＥＤが実装されたＬＥＤ基板部（図示していない）と、板金等で形成され、ＬＥＤ基板部を保持する保持部（図示していない）と、ＬＥＤ基板部の前面（発光面）に配設されるカバー部１５とを有している。カバー部１５は、長尺状に形成され、短手方向に切断された場合の断面が略半円形状になっている。なお、光源部１２は、ＬＥＤに代えて、有機ＥＬ等、他の種類の光源を有していてもよい。
【００１６】
光源部１２は、底面部２２に複数配設されている。本実施の形態では、光源部１２の個数を二個とするが、三個以上であってもよい。光源部１２は、第一の側面部２３との間に間隔を空けて配設される。
【００１７】
端子台１３は、器具本体２０の外部から引き込まれた電線が接続されるととともに、点灯装置１４に接続する。
【００１８】
点灯装置１４は、端子台１３を介して外部の電源（例えば、商用電源）から供給される電力により、光源部１２を点灯させる。
【００１９】
上記のように、器具本体２０は、複数の光源部１２が複数の光源部１２の幅方向（短手方向）に並べて配置される底面部２２と、底面部２２により連結され、互いに対向する一対の第一の側面部２３と、底面部２２により連結され、互いに対向する一対の第二の側面部２４とを有する。一対の第二の側面部２４は、複数の光源部１２の長さ方向（長手方向）の両端部１６に対向する。
【００２０】
枠部３０は、四角形状（ロ字形状）に組み合わされた第一の外枠部４０及び第二の外枠部５０と、これらの内側に配設される反射部６０とを有している。
【００２１】
第一の外枠部４０は、器具本体２０に取り付けられた際に、光源部１２の長手方向と略平行に配設されている。第二の外枠部５０は、光源部１２の短手方向と略平行に配設されている。
【００２２】
第一の外枠部４０は、開口部２１の縁を覆う第一の正面枠部４１と、第一の正面枠部４１から光源部１２の短手方向に沿って傾斜する片側反射部４２とを有している。片側反射部４２は、第一の正面枠部４１につながっている箇所（下端）から、徐々に光源部１２に近づくように（斜め上に向かって）傾斜することで、光源部１２からの光を反射する傾斜面を形成している。片側反射部４２は、器具本体２０に取り付けられた状態では、器具本体２０の第一の側面部２３と光源部１２との間に配置されることになる。
【００２３】
第二の外枠部５０は、開口部２１の縁を覆う第二の正面枠部５１と、第二の正面枠部５１から略垂直方向に形成される垂直枠部５２とを有している。垂直枠部５２は、第二の正面枠部５１につながっている箇所（下端）から、垂直に（真上に向かって）立ち上がることで、光源部１２の長手方向の端部１６に対向する垂直面を形成している。垂直枠部５２は、器具本体２０に取り付けられた状態では、器具本体２０の第二の側面部２４と光源部１２との間に配置されることになる。
【００２４】
上記のように、枠部３０は、器具本体２０に取り付けられ、複数の光源部１２を露出させながら底面部２２を覆う。枠部３０は、複数の光源部１２の間に配置される反射部６０と、互いに対向する一対の第一の外枠部４０と、互いに対向する一対の第二の外枠部５０とを有する。反射部６０の長さ方向（長手方向）は、複数の光源部１２の長さ方向（長手方向）と平行である。反射部６０の長さ方向の両端部６１は、一対の第二の側面部２４に対向する。一対の第二の外枠部５０のうち一方は、一対の第二の側面部２４のうち一方と複数の光源部１２の長さ方向（長手方向）の一端部１６との間に配置される。一対の第二の外枠部５０のうち他方は、一対の第二の側面部２４のうち他方と複数の光源部１２の長さ方向（長手方向）の他端部１６との間に配置される。
【００２５】
図３は、枠部３０の分解斜視図である。図４は、図３のＡ部の拡大平面図である。図５は、図３のＢ部の拡大斜視図である。図６は、図３のＢ部の拡大平面図である。図７は、図３のＣ部の拡大斜視図である。図８は、図３のＣ部の拡大平面図である。なお、図４では、図３に示したＤ方向を平面方向としている。図６では、図５に示したＥ方向を平面方向としている。図８では、図７に示したＦ方向を平面方向としている。
【００２６】
図３に示すように、第二の外枠部５０の垂直枠部５２は、第二の正面枠部５１とは反対側（上端）の長手方向略中央に、反射部６０を固定するための切欠部７０及びスリット部８０が形成されている。
【００２７】
図３及び図４に示すように、切欠部７０は、垂直枠部５２を谷状に切り欠いて、第二の正面枠部５１と反対方向（上方向）に向かって幅が大きくなるように形成されている。切欠部７０の第二の正面枠部５１に近い側（下端）にある切欠底辺部７１には、台形板状の台形突部７２が形成されている。具体的には、切欠底辺部７１は、中央部が水平方向に延び、両端部が傾斜しながら第二の正面枠部５１と反対方向（上方向）に向かって延びており、この傾斜している部分（即ち、切欠底辺部７１の両端部）に台形突部７２が一つずつ形成されている。台形突部７２は、先端（台形の上底）が根元（台形の下底）よりも幅が小さく（短辺に）なるように形成されている。台形突部７２の両側壁（台形の両側辺）のうち、切欠底辺部７１の中央部に近い方は、切欠底辺部７１の傾斜している部分（即ち、切欠底辺部７１の一端部）に対して斜めに延びており、切欠底辺部７１の中央部から遠い方は、切欠底辺部７１の傾斜している部分に対して垂直に延びている。なお、台形突部７２の形状は、ここに示したものに限らない。例えば、台形突部７２に代えて、三角板状の突部を用いてもよい。また、本実施の形態では、台形突部７２が一つの垂直枠部５２につき二個形成されているが、台形突部７２の個数は適宜変更することができる。
【００２８】
図４に示すように、スリット部８０には、傾斜部８１と段差部８２とが形成されている。具体的には、スリット部８０は、切欠部７０の両隣に形成されており、傾斜部８１は、それぞれのスリット部８０の切欠部７０に近い側に形成され、段差部８２は、それぞれのスリット部８０の切欠部７０から遠い側に形成されている。なお、スリット部８０の形態は、ここに示したものに限らない。例えば、スリット部８０の形状は、単なる三角形状又は四角形状であってもよい。また、本実施の形態では、スリット部８０が一つの垂直枠部５２につき二個形成されているが、スリット部８０の個数は適宜変更することができる。
【００２９】
図３に示すように、反射部６０は、反射本体部６２と、第一の爪部６３と、第二の爪部６４とで構成されている。
【００３０】
図３に示すように、反射本体部６２は、短手方向に切断された場合の断面が略Ｖ字形状になっており、長手方向の長さが一対の第二の外枠部５０の対向する距離と等しくなるように形成されている。
【００３１】
図３及び図５及び図６に示すように、第一の爪部６３は、反射本体部６２の長手方向の端部から長手方向の外側に突出している。第一の爪部６３は、スリット部８０に挿し込まれる。第一の爪部６３は、スリット部８０の傾斜部８１上を摺動し、所定の位置（スリット部８０の下端）に配設されると、スリット部８０から容易に外れないようにスリット部８０の段差部８２により押さえられる。
【００３２】
図３及び図７及び図８に示すように、第二の爪部６４は、反射本体部６２のＶ字先端と第一の爪部６３との間の位置から長手方向の外側に突出している。第二の爪部６４には、台形突部７２が挿入される貫通孔９０（挿入孔）が形成されている。貫通孔９０の開口形状は、台形と長方形とをつなげたような形状になっている。台形の底辺のうち短い方を上底、長い方を下底とすると、台形の下底側と長方形の一方の長辺側とがつながっている。台形の上底に相当する部分は、第一の挿入部９１を形成している。長方形の部分は、第二の挿入部９２を形成している。台形の第一の挿入部９１以外の部分、即ち、第一の挿入部９１と第二の挿入部９２との間の部分は、傾斜挿入部９３を形成している。台形の上底は、台形突部７２の先端の幅（台形突部７２の台形の上底）と略同じ長さになっている。台形の側辺は、傾斜挿入部９３が第二の挿入部９２の方向へ広がるように傾斜している。第一の挿入部９１、傾斜挿入部９３、第二の挿入部９２は、第二の爪部６４の先端側から根元側（反射本体部６２側）に向かって順番に連続するように形成されている。
【００３３】
上記のように、一対の第二の外枠部５０のうち一方には、反射部６０の長さ方向（長手方向）の一端部６１（特に、第二の爪部６４）を受けるための切欠部７０が形成されている。同様に、一対の第二の外枠部５０のうち他方には、反射部６０の長さ方向（長手方向）の他端部６１（特に、第二の爪部６４）を受けるための切欠部７０が形成されている。したがって、本実施の形態によれば、第二の外枠部５０と反射部６０との間に隙間が生じにくい。
【００３４】
反射部６０の長さ方向（長手方向）の一端部６１は、反射部６０の長さ方向（長手方向）に突出する第一の爪部６３を有する。一対の第二の外枠部５０のうち一方には、第一の爪部６３を嵌めるためのスリット部８０が形成されている。同様に、反射部６０の長さ方向（長手方向）の他端部６１は、反射部６０の長さ方向（長手方向）に突出する第一の爪部６３を有する。一対の第二の外枠部５０のうち他方には、第一の爪部６３を嵌めるためのスリット部８０が形成されている。このように、本実施の形態では、切欠部７０だけでなく、スリット部８０でも反射部６０の端部６１を受けることで、反射部６０をより確実に保持することができる。
【００３５】
一対の第二の外枠部５０のうち一方は、切欠部７０の端縁から突出する台形突部７２を有する。反射部６０の長さ方向（長手方向）の一端部６１は、反射部６０の長さ方向（長手方向）に突出するとともに、台形突部７２を嵌めるための貫通孔９０が形成された第二の爪部６４を有する。このように、本実施の形態では、第二の外枠部５０の台形突部７２を反射部６０の端部６１に形成された貫通孔９０に嵌めるだけで、第二の外枠部５０と反射部６０とを固定することができるため、枠部３０の組立が容易である。
【００３６】
台形突部７２は、先端の幅が根元の幅よりも狭くなっている。貫通孔９０は、台形突部７２の先端を挿入するための第一の挿入部９１、台形突部７２の先端と根元との間の部分を摺動させながら挿入するための傾斜挿入部９３、台形突部７２の根元を挿入するための第二の挿入部９２が順番につながって形成されている。したがって、本実施の形態によれば、台形突部７２の先端を貫通孔９０に容易に挿入できるとともに、台形突部７２を根元まで貫通孔９０に挿入することで第二の外枠部５０と反射部６０とを確実に接近させて隙間をなくすことができる。
【００３７】
以下では、枠部３０の組立手順について説明する。
【００３８】
図９及び図１０及び図１１は、枠部３０の組立手順を示す斜視図である。図９は、第一の外枠部４０及び第二の外枠部５０と反射部６０とが分離した状態を示している。図１０は、第二の外枠部５０に反射部６０が嵌められた状態を示している。図１１は、第二の外枠部５０に反射部６０が固定された状態を示している。なお、図１０及び図１１には、枠部３０の一部の拡大斜視図も含まれている。
【００３９】
まず、図９に示す工程において、反射部６０は、反射本体部６２のＶ字先端が第二の正面枠部５１側（下方向）を向いた状態で、第二の正面枠部５１の反対側（上方向）から第二の外枠部５０に取り付けられる。
【００４０】
次に、図１０に示す工程において、第一の爪部６３がスリット部８０に挿入され、第二の爪部６４の貫通孔９０に台形突部７２が挿入される。前述したように、第二の外枠部５０の対向する距離が所定の長さより大きくなっており、反射本体部６２の長さが所定の長さより短くなっていること等から、反射部６０の長手方向の端部６１と第二の外枠部５０との間にできる隙間を台形突部７２と貫通孔９０との嵌合により抑制することできる。
【００４１】
最後に、図１１に示す工程において、第一の爪部６３と第二の爪部６４とが折り曲げられることで、反射部６０が第二の外枠部５０に固定され、枠部３０の組立が完了する。
【００４２】
上記のように、第一の爪部６３は、スリット部８０に嵌められた状態で折り曲げられている。第二の爪部６４は、貫通孔９０に台形突部７２が嵌められた状態で折り曲げられている。したがって、本実施の形態によれば、反射部６０を第二の外枠部５０に確実に固定することができる。
【００４３】
以下では、枠部３０の組立に伴う、台形突部７２と貫通孔９０との嵌合工程に関して説明を行う。
【００４４】
図１２は、台形突部７２が第二の爪部６４の第一の挿入部９１に挿入された状態を示す部分拡大斜視図である。図１３は、図１２と同じ状態を示す部分拡大平面図である。図１４は、図１２と同じ状態を示す部分拡大側面図である。図１５は、台形突部７２が第二の爪部６４の傾斜挿入部９３に挿入された状態を示す部分拡大斜視図である。図１６は、図１５と同じ状態を示す部分拡大平面図である。図１７は、図１５と同じ状態を示す部分拡大側面図である。図１８は、台形突部７２が第二の爪部６４の第二の挿入部９２に挿入された状態を示す部分拡大斜視図である。図１９は、図１８と同じ状態を示す部分拡大平面図である。図２０は、図１８と同じ状態を示す部分拡大側面図である。
【００４５】
台形突部７２が貫通孔９０に嵌められる際には、まず、図１２及び図１３及び図１４に示すように、台形突部７２の先端が第一の挿入部９１に挿入される。次に、図１５及び図１６及び図１７に示すように、台形突部７２がさらに貫通孔９０に挿入されていく。このとき、台形突部７２の側壁と傾斜挿入部９３とが互いに（若しくは片方が）摺動し、台形突部７２が第二の挿入部９２の方へ誘導されていく。最後に、図１８及び図１９及び図２０に示すように、台形突部７２の根元が第二の挿入部９２に挿入される。
【００４６】
以上説明したように、本実施の形態に係る照明器具１０において、一面が開口した器具本体２０の開口側に取り付けられる枠部３０は、器具本体２０の開口周部を覆い（開口に合わせて矩形状に形成され）、台形突部７２を有した外枠部（第一の外枠部４０及び第二の外枠部５０）と、光源部１２からの光を反射するとともに、台形突部７２が挿入される凸形状な貫通孔９０を有した反射部６０とを備える。このため、外枠部（第二の外枠部５０）と反射部６０との間の隙間を抑制することができる。
【００４７】
実施の形態２．
本実施の形態について、主に実施の形態１との差異を説明する。
【００４８】
図２１は、本実施の形態における第二の爪部６４の形状を示す部分拡大平面図である。図２２は、本実施の形態における台形突部７２の形状を示す部分拡大平面図である。図２３は、台形突部７２が第二の爪部６４の貫通孔９０に挿入された状態を示す部分拡大斜視図である。
【００４９】
実施の形態１では、反射部６０の第二の爪部６４に形成された貫通孔９０の開口形状が、台形と長方形とをつなげたような形状になっている（輪郭が略凸字形状になっている）。これに対し、本実施の形態では、図２１に示すように、貫通孔９０の開口形状が、長方形の一方の長辺の一部が長方形の内側に凸状に折れ曲がったような形状になっている（輪郭が略凹字形状になっている）。折れ曲がった部分は、凸部９４を形成している。即ち、第二の爪部６４は、貫通孔９０の内側に突出する凸部９４を有している。
【００５０】
図２２に示すように、第二の外枠部５０の台形突部７２は、凸部９４を挿入するための開口部７３が根元に形成されている。
【００５１】
本実施の形態では、図２３に示すように、貫通孔９０に台形突部７２が挿入されたとき、凸部９４が開口部７３に嵌合する。このため、第二の外枠部５０に反射部６０を仮保持させることができる。この状態において、さらに第二の爪部６４が折り曲げられることで、反射部６０が第二の外枠部５０に固定され、枠部３０の組立が完了する。
【００５２】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。例えば、前述した実施の形態では、複数の光源部１２及び反射部６０のそれぞれの長さが幅よりも大きいが、それぞれの長さが幅と等しくてもよいし、それぞれの長さが幅よりも小さくてもよい。複数の光源部１２及び反射部６０のそれぞれの長さが幅よりも小さい場合、複数の光源部１２及び反射部６０のそれぞれの長さ方向は、長手方向ではなく、短手方向に相当することになる。逆に、複数の光源部１２及び反射部６０のそれぞれの幅方向は、短手方向ではなく、長手方向に相当することになる。
【符号の説明】
【００５３】
１０  照明器具、１１  取付バネ、１２  光源部、１３  端子台、１４  点灯装置、１５  カバー部、１６  端部、２０  器具本体、２１  開口部、２２  底面部、２３  第一の側面部、２４  第二の側面部、３０  枠部、４０  第一の外枠部、４１  第一の正面枠部、４２  片側反射部、５０  第二の外枠部、５１  第二の正面枠部、５２  垂直枠部、６０  反射部、６１  端部、６２  反射本体部、６３  第一の爪部、６４  第二の爪部、７０  切欠部、７１  切欠底辺部、７２  台形突部、７３  開口部、８０  スリット部、８１  傾斜部、８２  段差部、９０  貫通孔、９１  第一の挿入部、９２  第二の挿入部、９３  傾斜挿入部、９４  凸部。
【図１】
0006440427.tif 000002
【図２】
0006440427.tif 000003
【図３】
0006440427.tif 000004
【図４】
0006440427.tif 000005
【図５】
0006440427.tif 000006
【図６】
0006440427.tif 000007
【図７】
0006440427.tif 000008
【図８】
0006440427.tif 000009
【図９】
0006440427.tif 000010
【図１０】
0006440427.tif 000011
【図１１】
0006440427.tif 000012
【図１２】
0006440427.tif 000013
【図１３】
0006440427.tif 000014
【図１４】
0006440427.tif 000015
【図１５】
0006440427.tif 000016
【図１６】
0006440427.tif 000017
【図１７】
0006440427.tif 000018
【図１８】
0006440427.tif 000019
【図１９】
0006440427.tif 000020
【図２０】
0006440427.tif 000021
【図２１】
0006440427.tif 000022
【図２２】
0006440427.tif 000023
【図２３】
0006440427.tif 000024